(57)【要約】【課題】フィルタグリル内でのプレフィルタのガタをなくすことにより、運転時にビビリ音が生じないようにした空気調和機のエアフィルタ装置を提供する。【解決手段】プレフィルタ１０をフィルタグリル６の裏面に収容してフィルタ係止爪３により係止するよう構成された空気清浄フィルタｆにおいて、前記ビビリ音の発生を防止するにはフィルタグリル６に収容されたプレフィルタ１０のガタをなくす必要がある。そこで、プレフィルタ１０のフレームリブ８をフィルタグリル６のグリルリブ５と対向する位置に設けるとともに、フレームリブ８にはグリルリブ５との対向面の略中央部に突起部８ａを設けた構成とし、フレフィルタ１０を枠体４内に収容してフィルタ係止爪３により係止した際、突起部８ａをグリルリブ５に押し当てることにより、プレフィルタ１０にテンションをかけるようにしている。【選択図】　図３
2004116804.tif 000002
【特許請求の範囲】
【請求項１】
通気孔を形成する複数の横桟と、同横桟の両側を接続して裏面側の左右に対をなす上下一対のフィルタ係止爪を備えた枠体と、前記複数の横桟の裏面に接続されるとともに、前記枠体の裏面側の上下部に両端が接続されたグリルリブとからなり、空気調和機本体を形成する前面パネルの一側に設けられた吸込口に着脱可能に装着されるフィルタグリルと、同フィルタグリルの裏面に収容されて前記フィルタ係止爪により係止される枠状のフレームと、同フレームの少なくとも上下部に両端が接続され、前記グリルリブに対向するフレームリブと、これらフレームおよびフレームリブに一体形成された塵埃防止用のフィルタ材とからなるプレフィルタとで構成され、前記グリルリブに対向する前記フレームリブの略中央部に突起部を設けてなることを特徴とする空気調和機のエアフィルタ装置。
【請求項２】
前記突起部を前記フレームリブの略中央部の前後両面に設けてなることを特徴とする請求項１記載の空気調和機のエアフィルタ装置。
【発明の詳細な説明】
【０００１】
【発明の属する技術分野】
本発明は空気調和機のエアフィルタ装置に係わり、より詳細には、プレフィルタと、これを収容するフィルタグリルとの隙間によるガタをなくして、運転時にビビリ音が生じないようにした構造に関する。
【０００２】
【従来の技術】
従来の技術としては、例えば図１、図２、図４、図５に示すようなものがある。
図１は室内機側と室外機側とを一体にした一体型の空気調和機の外観を示したもので、後部側面に室外側吸込口ｅを有する本体ａの前方には、一側に室内側の吸込口ｂ、他側上部に室内への吹出口ｃ、他側下部に操作部ｄを設けた前面パネルＡが取付けられ、吸込口ｂには図４または図５に示すような構成からなるエアフィルタ装置ｆが着脱可能に装着されている。
【０００３】
ところで、従来のエアフィルタ装置ｆは例えば図５に示すように、通気孔１を形成する複数の横桟２と、同横桟２の両側を接続して裏面側の左右に対をなす上下一対のフィルタ係止爪３および前面パネルＡへの複数の取付用爪３ａ、３ｂを備えた枠体４と、前記複数の横桟２の裏面に接続されるとともに、前記枠体４の裏面側の上下部に両端が接続されたグリルリブ５とからなり、本体ａを形成する前面パネルＡの一側に設けられた吸込口ｂに着脱可能に装着されるフィルタグリル６と、同フィルタグリル６の裏面に収容されて前記フィルタ係止爪３により係止される枠状のフレーム７と、同フレーム７に一体形成された塵埃防止用のフィルタ材９とからなるプレフィルタ１０とで構成され、このエアフィルタ装置ｆは前記取付用爪３ａ、３ｂで図２に示すように前面パネルＡの吸込口ｂに着脱可能に装着されていた。
【０００４】
しかしながら、前記プレフィルタ１０と、これを収容するフィルタグリル６との間には多少の隙間があってガタを生じ、本体ａの運転時にビビリ音が発生してしまうという問題を有していた。
【０００５】
上記問題点の解決策としては、例えば、図４に示すように、プレフィルタ１０を形成するフレーム７の上下間に、フィルタグリル６のグリルリブ５に対向するフレームリブ８を設ける一方、グリルリブ５の上下略中央を略円弧状に突出形成した構成にして（例えば、特許文献１参照）、フレームリブ８を押圧することにより、プレフィルタ１０の動きを抑制し、運転時にビビリ音が生じないようにしていた。
【０００６】
【特許文献１】
特開２００１ー２２７８１４号公報（第３ー４頁、第２図）
【０００７】
【発明が解決しようとする課題】
しかしながら、上記構成ではフィルタグリル６により多くの素材を必要とし、フィルタグリル６の重量が増すとともに、コスト面でも問題があった。したがって、本発明においては、素材がより少なくて済み、運転時にビビリ音が生じないようにした空気調和機のエアフィルタ装置を提供することを目的としている。
【０００８】
【課題を解決するための手段】
本発明は、上記の課題を解決するためになされたものであり、通気孔を形成する複数の横桟と、同横桟の両側を接続して裏面側の左右に対をなす上下一対のフィルタ係止爪を備えた枠体と、前記複数の横桟の裏面に接続されるとともに、前記枠体の裏面側の上下部に両端が接続されたグリルリブとからなり、空気調和機本体を形成する前面パネルの一側に設けられた吸込口に着脱可能に装着されるフィルタグリルと、同フィルタグリルの裏面に収容されて前記フィルタ係止爪により係止される枠状のフレームと、同フレームの少なくとも上下部に両端が接続され、前記グリルリブに対向するフレームリブと、これらフレームおよびフレームリブに一体形成された塵埃防止用のフィルタ材とからなるプレフィルタとで構成され、前記グリルリブに対向する前記フレームリブの略中央部に突起部を設けてなる構成とする。
【０００９】
また、前記突起部を前記フレームリブの略中央部の前後両面に設けてなる構成とする。
【００１０】
【発明の実施の形態】
以下、本発明の実施の形態を図１、図２、図３に基づいて説明する。
図１は本発明および従来例によるエアフィルタ装置が使用される一体型の空気調和機の斜視図、図２は同機へのエアフィルタ装置の着脱形態を示す斜視図であり、図３は本発明によるエアフィルタ装置の説明図で、（Ａ）はエアフィルタ装置の裏面側の分解斜視図、（Ｂ）はエアフィルタ装置の断面図である。
なお、本発明によるエアフィルタ装置が使用される空気調和機本体ａの構成については、先に説明した従来技術と同じであるためここでは説明を省略する。
【００１１】
図において、ｆは空気調和機本体ａを構成する前面パネルＡの吸込口ｂに着脱可能に装着されるエアフィルタ装置（空気清浄フィルタともいう）で、同装置ｆは、通気孔１を形成する複数の横桟２と、同横桟２の両側を接続して裏面側の左右に対をなす上下一対のフィルタ係止爪３および前面パネルＡへの複数の取付用爪３ａ、３ｂを備えた枠体４と、前記複数の横桟２の裏面に接続されるとともに、前記枠体４の裏面側の上下部に両端が接続されたグリルリブ５とからなるフィルタグリル６と、同フィルタグリル６の裏面に収容されて前記フィルタ係止爪３により係止される枠状のフレーム７と、同フレーム７の少なくとも上下部に両端が接続されたフレームリブ８と、これらフレーム７およびフレームリブ８に一体形成された塵埃防止用のフィルタ材９とからなるプレフィルタ１０とで構成されている。
【００１２】
前記構成でなる空気調和機のエアフィルタ装置において、運転時のビビリ音の発生を防止するには、フィルタグリル６に収容されたプレフィルタ１０のガタ（遊び）をなくすことが決め手となる。そこで、本発明においては、プレフィルタ１０のフレームリブ８をフィルタグリル６のグリルリブ５と対向する位置に設けるとともに、フレームリブ８にはグリルリブ５との対向面の略中央部に突起部８ａを設けた構成とし、プレフィルタ１０を枠体４内に収容してフィルタ係止爪３により係止した際、突起部８ａをグリルリブ５に押し当てることにより、プレフィルタ１０にテンションをかけるようにしている。
【００１３】
なお、突起部８ａはプレフィルタ１０を裏返したときにもテンションがかかるようフレームリブ８の前後両面に形成されている。
【００１４】
したがって、フィルタグリル６に収容されたプレフィルタ１０は図３の（Ｂ）に示すような弓なりの形態となり、ガタすなわちフィルタグリル６内での遊びがなくなることにより、ビビリ音が発生しなくなる。
【００１５】
【発明の効果】
以上説明したようなフィルタグリルとプレフィルタとからなるエアフィルタ装置であるならば、フィルタグリルへのプレフィルタの着脱が容易に行えるとともに、フィルタグリルの素材をより少なくして軽量化およびコストダウンが図れるにも係わらず、フィルタグリル内でのプレフィルタのガタがなくなり、ビビリ音が生じない高品質の空気調和機の提供が可能となる。
【図面の簡単な説明】
【図１】本発明および従来例によるエアフィルタ装置が使用される一体型の空気調和機の斜視図である。
【図２】本発明および従来例によるエアフィルタ装置の着脱時の形態を示す一体型の空気調和機の斜視図である。
【図３】本発明によるエアフィルタ装置の説明図で、（Ａ）はエアフィルタ装置の裏面側の分解斜視図、（Ｂ）はエアフィルタ装置の断面図である。
【図４】ビビリ音を発生させないようにした従来のエアフィルタ装置の説明図で、（Ａ）はエアフィルタ装置の裏面側の分解斜視図、（Ｂ）はエアフィルタ装置の断面図である。
【図５】従来のエアフィルタ装置の説明図で、（Ａ）はエアフィルタ装置の裏面側の分解斜視図、（Ｂ）はエアフィルタ装置の断面図である。
【符号の説明】
ａ　空気調和機本体
ｂ　吸込口
ｃ　吹出口
ｄ　操作部
ｅ　室外側吸込口
ｆ　エアフィルタ装置（空気清浄フィルタ）
１　通気孔
２　横桟
３　フィルタ係止爪
３ａ　取付用爪
３ｂ　取付用爪
４　枠体
５　グリルリブ
６　フィルタグリル
７　フレーム
８　フレームリブ
８ａ　突起部
９　フィルタ材
１０　プレフィルタ
【図１】
2004116804.tif 000003
【図２】
2004116804.tif 000004
【図３】
2004116804.tif 000005
【図４】
2004116804.tif 000006
【図５】
2004116804.tif 000007